(57)【要約】      （修正有）【課題】少ない部品点数で構成できるため、製造コストを抑えることが可能であり、また、排気がゴミや埃を吹き飛ばすことがない卓上掃除機を提供する。【解決手段】電池７により駆動される卓上掃除機であって、筐体と、筐体内部に支持された電池７と、電池７により駆動され上記筐体内部に支持されたファンと、上記筐体に着脱可能に支持され上記ファンの下方に設けられた底部カバーとを備え、上記筐体は、操作部である上面カバー１と、上面カバー１に支持されたファン固定部と、側面に設けられた貫通穴である排出口２ｂとを有し、上記ファンは下方より空気を吸入する向きに上記ファン固定部により支持され、上記底部カバーは、底面より上記ファンに向かって空気を導くための貫通穴である吸気口４ａと、吸気口４ａの周囲に設けられた空間である塵収納部４ｂと、排出口２ｂの周囲に立設する風向制御壁４ｃとを備えたことを特徴とする。【選択図】図４
0003199163.tif 000002
【実用新案登録請求の範囲】
【請求項１】
電池により駆動される卓上掃除機であって、
筐体と、
当該筐体内部に支持された電池と、
当該電池により駆動され上記筐体内部に支持されたファンと、
上記筐体に着脱可能に支持され上記ファンの下方に設けられた底部カバーと、
を備え、
上記筐体は、
操作部である上面カバーと、
当該上面カバーに支持されたファン固定部と、
側面に設けられた貫通穴である排出口と、
を有し、
上記ファンは下方より空気を吸入する向きに上記ファン固定部により支持され、
上記底部カバーは、
底面より上記ファンに向かって空気を導くための貫通穴である吸気口と、
当該吸気口の周囲に設けられた空間である塵収納部と、
上記排出口の周囲に立設する風向制御壁と、
を備えたことを特徴とする卓上掃除機。
【請求項２】
電池により駆動される卓上掃除機であって、
筐体と、
当該筐体内部に支持された電池と、
当該電池により駆動され上記筐体内部に支持されたファンと、
上記筐体に着脱可能に支持され上記ファンの下方に設けられた底部カバーと、
を備え、
上記筐体は、
操作部である上面カバーと、
当該上面カバーに支持されたファン固定部と、
側面に設けられた貫通穴である排出口と、
当該排出口の周囲に立設する風向制御壁と、
を有し、
上記ファンは下方より空気を吸入する向きに上記ファン固定部により支持され、
上記底部カバーは、
底面より上記ファンに向かって空気を導くための貫通穴である吸気口と、
当該吸気口の周囲に設けられた空間である塵収納部と、
を備えたことを特徴とする卓上掃除機。
【請求項３】
上記ファンと上記底部カバーの中間に設けられた中間板をさらに有し、
当該中間板は、吸気口より上記ファンに向かって空気を導くための貫通穴である中間吸気口と、
上記塵収納部の上方に設けられた貫通穴である集塵口と、
を備えたことを特徴とする請求項１または２に記載の卓上掃除機。
【請求項４】
電池により駆動される卓上掃除機であって、
筐体と、
当該筐体内部に支持された電池と、
当該電池により駆動され上記筐体内部に支持されたファンと、
上記筐体に着脱可能に支持され上記ファンの下方に設けられた底部カバーと、
上記ファンと上記底部カバーの中間に設けられた中間板と、
を備え、
上記筐体は、
操作部である上面カバーと、
当該上面カバーに支持されたファン固定部と、
側面に設けられた貫通穴である排出口と、
を有し、
上記ファンは下方より空気を吸入する向きに上記ファン固定部により支持され、
上記底部カバーは、
底面より上記ファンに向かって空気を導くための貫通穴である吸気口と、
当該吸気口の周囲に設けられた空間である塵収納部と、
を備え、
上記中間板は、
吸気口より上記ファンに向かって空気を導くための貫通穴である中間吸気口と、
上記塵収納部の上方に設けられた貫通穴である集塵口と、
上記排出口の周囲に立設する風向制御壁と、
を備えたことを特徴とする卓上掃除機。
【考案の詳細な説明】
【技術分野】
【０００１】
本考案は、机やテーブル等の掃除する卓上掃除機に関するものである。
【背景技術】
【０００２】
卓上掃除機は、電池で駆動され、手軽に机の上のゴミや埃、消しゴムの消しくずを簡便に掃除できる。あるいは、テーブルの上のパンくず等を掃除するのに便利である。
卓上掃除機は、内部に吸気用のファンが設けられ、吸気口よりゴミを吸い込み、内部にゴミを蓄える。排気に関しては、側面に排気口が設けられ、そこから外部に空気が排気されるが、ゴミや埃を吸い込む前に、この排気される空気により、机の上やテーブルの上のゴミや埃が吹き飛ばされてしまうという問題があった。
【０００３】
一方、上面に排気口を設けることも可能であるが、その場合は、卓上掃除機を持つ手が排気口の上に来るため、排気が手にあたり、操作者に違和感を与えたり、手が排気口を塞ぐために、排気が不十分となり、吸気性能を低下させるという別の問題が生じた。
【０００４】
このような問題を解決するため、上部に排気口を持った卓上掃除機も提案されている。この卓上掃除機はＰＣのマウス状の形態を有しており、マウス状の卓上掃除機を持つ手よりも前部に排気口を設けることで、排気が手にあたりことを防止している（例えば、特許文献１）。
【先行技術文献】
【特許文献】
【０００５】
【特許文献１】実用新案登録第３０８６８１８号
【考案の概要】
【考案が解決しようとする課題】
【０００６】
しかし、上述した特許文献１に開示されている卓上掃除機は、ゴミや埃を上方ではなく、横方向に吸い込むため、吸気口と吸気用のファンの間にフィルターを設ける必要があり、部品点数が増え、製造コストが高くなるという課題があった。
【０００７】
また、吸い込んだゴミや埃が吸気口から逆流して漏れ出すという問題もあり、そのため、吸気口の内側に逆支弁を設けることも必要となり、さらに製造コストの増加を招いてしまう。
【０００８】
本考案は、上記の諸課題を解決するためになされたものであり、少ない部品点数で構成できるため、製造コストを抑えることが可能であり、また、排気がゴミや埃を吹き飛ばすことがない卓上掃除機を提供するものである。
【課題を解決するための手段】
【０００９】
本考案の請求項１に係る卓上掃除機は、電池により駆動される卓上掃除機であって、筐体と、筐体内部に支持された電池と、当該電池により駆動され上記筐体内部に支持されたファンと、上記筐体に着脱可能に支持され上記ファンの下方に設けられた底部カバーと、
を備え、上記筐体は、操作部である上面カバーと、当該上面カバーに支持されたファン固定部と、側面に設けられた貫通穴である排出口とを有し、上記ファンは下方より空気を吸入する向きに上記ファン固定部により支持され、上記底部カバーは、底面より上記ファンに向かって空気を導くための貫通穴である吸気口と、当該吸気口の周囲に設けられた空間である塵収納部と、上記排出口の周囲に立設する風向制御壁とを備えたことを特徴とする。
【００１０】
本考案の請求項２に係る卓上掃除機は、電池により駆動される卓上掃除機であって、筐体と、筐体内部に支持された電池と、当該電池により駆動され上記筐体内部に支持されたファンと、上記筐体に着脱可能に支持され上記ファンの下方に設けられた底部カバーとを備え、上記筐体は、操作部である上面カバーと、当該上面カバーに支持されたファン固定部と、側面に設けられた貫通穴である排出口と、当該排出口の周囲に立設する風向制御壁とを有し、上記ファンは下方より空気を吸入する向きに上記ファン固定部により支持され、上記底部カバーは、底面より上記ファンに向かって空気を導くための貫通穴である吸気口と、当該吸気口の周囲に設けられた空間である塵収納部とを備えたことを特徴とする。
【００１１】
本考案の請求項３に係る卓上掃除機は、上記ファンと上記底部カバーの中間に設けられた中間板をさらに有し、当該中間板は、吸気口より上記ファンに向かって空気を導くための貫通穴である中間吸気口と、上記塵収納部の上方に設けられた貫通穴である集塵口とを備えたことを特徴とする。
【００１２】
本考案の請求項４に係る卓上掃除機は、電池により駆動される卓上掃除機であって、筐体と、当該筐体内部に支持された電池と、当該電池により駆動され上記筐体内部に支持されたファンと、上記筐体に着脱可能に支持され上記ファンの下方に設けられた底部カバーと、上記ファンと上記底部カバーの中間に設けられた中間板とを備え、上記筐体は、操作部である上面カバーと、当該上面カバーに支持されたファン固定部と、側面に設けられた貫通穴である排出口とを有し、上記ファンは下方より空気を吸入する向きに上記ファン固定部により支持され、上記底部カバーは、底面より上記ファンに向かって空気を導くための貫通穴である吸気口と、当該吸気口の周囲に設けられた空間である塵収納部とを備え、上記中間板は、吸気口より上記ファンに向かって空気を導くための貫通穴である中間吸気口と、上記塵収納部の上方に設けられた貫通穴である集塵口と、上記排出口の周囲に立設する風向制御壁とを備えたことを特徴とする卓上掃除機。
【考案の効果】
【００１３】
本考案に係る卓上掃除機は、上記のように構成されているので、少ない部品点数でありながら、排気口から排出される空気により机やテーブル上の塵やゴミが飛ばされるのを防止できる。
【００１４】
また逆止弁を用いることなく、集塵した塵やゴミが外部に出ることがなく、内部に安定に溜めることができる
さらに、排出口が外部より見えにくいため、スッキリとした洗練されたデザインが得られる。
【図面の簡単な説明】
【００１５】
【図１】本考案に係る卓上掃除機の（ａ）上面側斜視図と底面側斜視図である。
【図２】本考案に係る卓上掃除機の構成部品断面図である。
【図３】本考案に係る卓上掃除機の（ａ）羽根板および（ｂ）フィルター板の上面図である。
【図４】本考案に係る卓上掃除機の断面図である。
【図５】本考案に係る卓上掃除機内の空気の流れを説明する図である。
【図６】本考案に係る別の構成の卓上掃除機内の空気の流れを説明する図である。
【考案を実施するための形態】
【００１６】
実施の形態１．
本考案に係る卓上掃除機の構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００１７】
＜構成＞
卓上掃除機の外観を図１に示す。図１（ａ）は、上方から見た斜視図であり、（ｂ）は裏返して見た斜視図である。この卓上掃除機は片手で握れる程度の大きさである。また、握りやすいように、外形は円筒形状にしている。
また、各部品の断面図を図２に、一部の部品の上面図を図３に、完成品の断面図を図４に示す。
【００１８】
卓上掃除機は、電池により駆動される。卓上掃除機の筐体は、掃除をする際に手で保持し左右前後に動かす等の操作を行う操作部である上面カバー１と、上面カバーに支持されたファン固定部２と、側面に設けられた貫通穴である排出口２ｂ等からなる。
【００１９】
この筐体内部には、筐体に支持された電池７と、この電池７により駆動され筐体内部に支持された羽根板５とモーター６とからなるファンがある。なお、図示していないが、電池とモーター６との通電を開閉するスイッチが設けられている。
また、底部カバー４は、筐体に着脱可能に支持され、ファンの下方に設けられている。
さらに、必要に応じて、ファンと上記底部カバー４の中間に設けられた中間板３が設けられている。
【００２０】
上記ファンは下方より空気を吸入する向きに上記ファン固定部２により支持されている。ファンの羽根板は、図３（ａ）に示すように、例えば、円盤上に複数の曲線状の凸部が設けられている。
【００２１】
また、上記底部カバー４は、底面より上記ファンに向かって空気を導くための貫通穴である吸気口４ａと、吸気口４ａの周囲に設けられた空間である塵収納部４ｂと、排出口２ｂの周囲に立設する風向制御壁４ｃとから構成される。
【００２２】
中間板３は、吸気口４ａより上記ファンに向かって空気を導くための貫通穴である中間吸気口３ａと、塵収納部４ｂの上方に設けられた貫通穴である集塵口３ｃ等を有している。なお、本実施の形態においては、中間板３をファン固定部２の奥までしっかりと嵌め込み、固定されるように、中間板３の側壁を高く立設しているので、排出口２ｂが中間板３の側壁により隠れてしまう。そのため、中間板３の側壁に、排出口２ｂと同形状の中間排出口３ｂを設けている。また、この中間排出口３ｂには、塵を通さずに空気のみを通す排気フィルターが設けられている。なお、中間板３を用いない場合には、排出口２ｂに排気フィルターを設けても良い。
【００２３】
＜動作＞
次に、卓上掃除機の吸引動作について説明する。
スイッチを通電状態にすると、ファンが回転し、羽根板５の回転により気流が生じる。この気流により、外部から吸気口４ａに空気が流入する。その空気の流れの様子を図５に示す。白抜き矢印が空気の流れであり、吸気口４ａに空気が流入することで、吸気口４ａの付近にある塵やゴミが吸気口４ａを通って、卓上掃除機の内部に吸引される。
【００２４】
吸引された塵やゴミは、白抜き矢印で示す空気の流れに沿って、吸気口４ａからその周囲へと運ばれる。吸気口４ａ付近では空気の流れは強いが、周囲に行くに従って、空気の流れは平面に分散されるため、次第に弱くなる。そして、集塵口３ｃの上方付近では、分散された空気の流れは弱く、吸引された塵やゴミは、重力により落下し、集塵口３ｃを通って、塵収納部４ｂに落ち、そこに堆積する。あるいは、非常に軽い塵等は排気フィルターにぶつかって下に落ち、集塵口３ｃを通って塵収納部４ｂに堆積する。
【００２５】
一方、吸気口４ａから入った空気は、排出口２ｂから外部に排出される。排出された空気は、排出口２ｂの周囲に立設する風向制御壁４ｃに当たり、風向制御壁４ｃの上方、あるいは下方へと分散される。
【００２６】
このように、排出された空気は下方に流れないので、机やテーブルの上の塵やゴミを吹き飛ばすことがない。
塵収納部４ｂに溜まった塵やゴミは、筐体から底部カバー４を取り外して捨てることができる。
【００２７】
＜上記以外の構成＞
卓上掃除機の形状に関しては、円筒形状に限るわけではなく、ドーム状等、別の形状であっても良い。
材質については、量産性に優れ、形状を自由に設計できる成型樹脂が適切であるが、他の材料であっても良い。
【００２８】
風向制御壁４ｃは底部カバー４に設けたが、例えば、筐体や中間板３に設けることも可能である。図６に一例として示すように、ファン固定板２に風向制御壁を設けることも可能である。また、風向制御壁は鉛直に立設せず、外側に開くように角度を付けても良い。
【００２９】
電池７を固定する位置は、ファン固定部２の上部以外に、上面カバー１の裏側等であっても良い。電池を交換する際には、上面カバー１とファン固定部２とを取り外せるようにしても良いし、上面カバー１に開閉できる蓋を設けて、そこから電池を交換できるようにしても良い。電池を交換する際に、モーターの配線が見えないように、モーター部分を囲う等の工夫をしても良い。また、乾電池ではなく充電池を用い、充電池を充電するためのアダプタ等を設けても良い。
【００３０】
中間板３を設けることで、塵収納部４ｂに溜まった塵やゴミが外に飛び出しにくくなるが、必ずしも中間板３を設け無くと良い。、
【００３１】
＜本考案のまとめ＞
本考案に係る卓上掃除機は、上記のように構成されているので、少ない部品点数でありながら、排気口から排出される空気により机やテーブル上の塵やゴミが飛ばされるのを防止することができる。
【００３２】
また、逆止弁を用いることなく、集塵した塵やゴミが外部に出ることがなく、内部に安定に溜めることができる
さらに、排出口が外部より見えにくいため、スッキリとした洗練されたデザインが得られる。
【符号の説明】
【００３３】
１  上面カバー
２  ファン固定板
２ａ  ファン固定用開口
２ｂ  排出口
３  中間板
３ａ  中間吸気口
３ｂ  中間排出口
３ｃ  集塵穴
４  底部カバー
４ａ  吸気口
４ｂ  塵収納部
４ｃ  風向制御壁
５  羽根板
６  モーター
７  電池
【図１】
0003199163.tif 000003
【図２】
0003199163.tif 000004
【図３】
0003199163.tif 000005
【図４】
0003199163.tif 000006
【図５】
0003199163.tif 000007
【図６】
0003199163.tif 000008